(57)【要約】【課題】簡単な操作でヘッド部分を回転させて麺を絡ませることが可能なパスタ用フォーク提供する。【解決手段】後端部付近から櫛歯部３にかけて外周にらせん部６が形成された柄６を備え、櫛歯部３は、柄６の先端部に突出し、柄６と同一の中心軸を持つ中心櫛歯３ａと、この中心櫛歯３ａを中心とする円周上において下方に突出する複数の外周櫛歯３ｂ、３ｃ、３ｄとからなる立体構造であり、かつ中心櫛歯３ａを外周櫛歯３ｂ、３ｃ、３ｄより長くする。らせん部６に沿って指を滑らせることにより、櫛歯３ａ〜３ｄが回転し、麺を絡ませる。【選択図】図１
2015016277.tif 000002
【特許請求の範囲】
【請求項１】
後端部付近から櫛歯部にかけて外周にらせん部が形成された柄を備え、前記櫛歯部は、前記柄の先端部に突出し、該柄と同一の中心軸を持つ中心櫛歯と、該中心櫛歯を中心とする円周上において下方に突出する複数の外周櫛歯とからなる立体構造であり、かつ前記中心櫛歯を前記外周櫛歯より長くしたことを特徴とするパスタ用フォーク。
【請求項２】
後端部付近から櫛歯部にかけて外周にらせん部が形成された柄を備え、前記櫛歯部は、前記柄の先端部に突出し、該柄と同一の中心軸を持つ中心櫛歯と、該中心櫛歯の両側に形成された両側櫛歯とからなり、前記柄と前記中心櫛歯と前記両側櫛歯は全て同一平面上に形成されており、かつ前記中心櫛歯を前記両側櫛歯より長くしたことを特徴とするパスタ用フォーク。
【請求項３】
前記柄は、上部から下部に向かって徐々に径が小さくなるように形成されていることを特徴とする請求項１又は２記載のパスタ用フォーク。
【請求項４】
前記中心櫛歯、両側櫛歯及び外周櫛歯の側縁に凹凸部を形成した請求項１ないし３のいずれかに記載のパスタ用フォーク。
【請求項５】
前記中心櫛歯及び外周櫛歯の先端に丸みを持たせたことを特徴とする請求項１ないし４のいずれかに記載のパスタ用フォーク。
【発明の詳細な説明】
【技術分野】
【０００１】  本発明は、パスタ用フォークに関し、特に、パスタ等の麺類の食事に好適に使用されるパスタ用フォークに関するものである。
【背景技術】
【０００２】  スパゲッティなどの麺類を食べる際は、フォークのヘッド部分の櫛歯を麺に突き刺した後、柄を軸にしてヘッド部分を回転させて麺を櫛歯に絡ませ、口に持っていくようにしている。このフォークの回転操作をしやすくするため、柄にらせんを設けたフォークがある（例えば、特許文献１参照）。
【先行技術文献】
【０００３】
【特許文献１】実開平５−８４２６８号公報
【発明の概要】
【発明が解決しようとする課題】
【０００４】  特許文献１のフォークでは、スパゲティなどの麺を食するときは、フォークの柄を握って麺に櫛歯を突き刺した後、手首をひねって回転操作して麺を櫛歯に絡ませるものである。その際、柄部にらせんがあると多少は回転させやすいが、フォークの櫛歯部は従来の一般的なフォークと同様、平面上に並設された構造であるため、食器上で回転させて麺を絡ませる際、櫛歯部の先端の全体が食器上に当たってしまい、フォークがスムーズに回転しにくいという問題があった。【０００５】  本発明は、指を柄に沿って滑らせるという簡単な操作でヘッド部分を回転させて麺を絡ませることが可能なパスタ用フォークを提供することを目的とする。
【課題を解決するための手段】
【０００６】  請求項１記載の発明は、後端部付近から櫛歯部にかけて外周にらせん部が形成された柄を備え、前記櫛歯部は、前記柄の先端部に突出し、該柄と同一の中心軸を持つ中心櫛歯と、該中心櫛歯を中心とする円周上において下方に突出する複数の外周櫛歯とからなる立体構造であり、かつ前記中心櫛歯を前記外周櫛歯より長くしたパスタ用フォークである。【０００７】  請求項２記載の発明は、後端部付近から櫛歯部にかけて外周にらせん部が形成された柄を備え、前記櫛歯部は、前記柄の先端部に突出し、該柄と同一の中心軸を持つ中心櫛歯と、該中心櫛歯の両側に形成された両側櫛歯とからなり、前記柄と前記中心櫛歯と前記両側櫛歯は全て同一平面上に形成されており、かつ前記中心櫛歯を前記両側櫛歯より長くしたパスタ用フォークである。【０００８】  請求項３記載の発明は、前記柄は、上部から下部に向かって徐々に径が小さくなるように形成されているものである。【０００９】  請求項４記載の発明は、前記中心櫛歯、外周櫛歯及び両側櫛歯の側縁に凹凸部を形成したものである。【００１０】  請求項５記載の発明は、前記中心櫛歯及び外周櫛歯の先端に丸みを持たせたものである。
【発明の効果】
【００１１】  本発明（請求項１）は、柄にらせん部を設け、櫛歯を立体構造とすることにより、麺が絡みやすく、指をらせん部に沿ってすべらせるという簡単な操作で櫛歯部分を回転させて麺を絡ませることができる。【００１２】  本発明（請求項２）は、柄にらせん部を設け、櫛歯を同一平面上に形成することにより、櫛歯がぶれることなく回転し、このため麺が絡みやすく、指をらせん部に沿ってすべらせるという簡単な操作で櫛歯部分を回転させて麺を絡ませることができる。
【図面の簡単な説明】
【００１３】
【図１】本発明のパスタ用フォークの正面図である。
【図２】本発明の側面図である。
【図３】図１のＡ−Ａ線断面図である。
【図４】第２の実施形態を示す正面図である。
【図５】第３の実施形態を示す正面図である。
【図６】第４の実施形態を示す正面図である。
【図７】図６の右側面図である。
【発明を実施するための形態】
【００１４】  図１は本発明の第１実施形態のパスタ用フォークの正面図、図２は図１の右側面図、図３は図１のＡ−Ａ線断面図である。
【００１５】  パスタ用フォーク１は、柄２と、この柄２の先端のヘッド部分に形成された立体状の櫛歯部３とからなる。柄２は、後端部は細い板状部分２ａであり、その下部には板状部分２ａをねじることによりらせん部２ｂが形成されている。らせん部２ｂは、らせん状の凸条４及びこの凸条４に沿うらせん状の溝５からなる。この凸条４の両側縁には丸みをつけることにより、指のすべりをよくしている。らせん部２ｂは細長い板状の部材をねじることにより形成し、軸線Ｌに対する角度はできるだけ小さくすることが好ましい。
【００１６】  櫛歯部３は、柄２の下端部に形成された円盤部１２から下方に突出して立体的に構成されたものである。すなわち、柄の下端に形成された中心櫛歯３ａと、この中心櫛歯３ａの外周であって、中心櫛歯３ａを中心とする円周上で下方に突出する複数の外周櫛歯３ｂ、３ｃ、３ｄを備えた立体構造のものである。中心櫛歯３ａ及び柄２は共通の中心軸線Ｌを持つように構成している。中心櫛歯３ａは、外周櫛歯３ｂ、３ｃ、３ｄよりも少し長くなっており、食器皿１４に垂直に立てた際、中心櫛歯３ａだけが食器皿の表面に当接するようになっている。外周櫛歯３ｂ、３ｃ、３ｄの下端部は内側、すなわち、中心櫛歯３ａの方向に曲げてあり、全体として先端がすぼまった形状となっている。
【００１７】  図１に示すように、このパスタ用フォーク１を使用するには、櫛歯３ａ〜３ｄをパスタなどの麺に突き刺し、中心櫛歯３ａの先端を皿１４の上面に当接させた状態で、利き腕の親指８をらせん部２ｂの片側の面に、人差し指９、中指１０、薬指１１を反対側の面に当て、この状態でらせん部２ｂに沿って下方に滑らせていく。これにより、らせん部２ｂの作用で柄２に回転力が付与され、中心櫛歯３ａを支点として櫛歯３ｂ、３ｃ、３ｄが回転する。中心櫛歯３ａは柄２の軸線Ｌと同一線上に形成しているので、中心櫛歯３ａの先端を支点としてフォーク１の櫛歯３ｂ、３ｃ、３ｄは円滑に回転する。これにより、麺は櫛歯３ａ〜３ｄに絡みついた状態となり、そのまま持ち上げて口に運ぶことができる。
【００１８】  なお、突き刺す麺の量が多すぎて櫛歯３ａ、３ｂ、３ｃが回転しにくい場合は、麺の一部を皿の周辺寄りに移動させて適量に広げた状態で突き刺すようにすれば、円滑に回転させて麺を絡ませることができる。
【００１９】  櫛歯３ａ〜３ｄの本数は、図示の実施形態では外周櫛歯３ｂ、３ｃ、３ｄが３本であるが、３本以上でもよい。いずれにしても、中心櫛歯３ａは他の外周櫛歯３ｂ、３ｃ、３ｄより先端方向に突出する長さに形成し、かつ中心櫛歯３ａと柄２の中心軸線Ｌを共通に形成することで、中心櫛歯３ａの先端を支点として円滑に回転させることができる。
【００２０】  図４は本発明の第２の実施形態であって、各櫛歯３ａ〜３ｄの側縁部に波状の凹凸部７を形成することにより、麺を絡みつきやすくすることができる。また、各櫛歯３ａ〜３ｄの先端を尖らせず、丸み１５をつけることにより、安全性をはかることができる。
【００２１】  さらにまた、部柄２の後端部に鶴などの鳥類あるいはペットなどのフィガー部１３を設けることも可能である。これにより、柄２の回転に伴ってフィガー部１３も回転し、興趣を増すことができる。
【００２２】  図５は、本発明のパスタ用フォークの第３の実施形態である。この実施形態では柄２を上部から下部に向かって徐々に径が小さくなるように形成されている。これにより、図１に示すように、指を滑らせる際に指の滑りがよくなり、回転させやすくなる。
【００２３】  以上のように、本発明によれば、フォークをほぼ垂直に皿上に立てて、柄２のらせん部２ｂに沿って上から下に指を滑らせるだけでフォークに回転を与えることができ、手首をひねって回転させる必要がないので、力の弱い子供や高齢者でも簡単に麺をフォークに絡ませることができるとともに、フォークの操作に面白みがあり、食事を楽しくすることができる。特に、櫛歯部３を中心櫛歯３ａの外周に外周櫛歯３ｂ、３ｃ、３ｄを円周上に立体的に形成することにより、中心櫛歯３ａを支点として櫛歯全体がスムーズに回転しやすく、麺の絡みつきが良好になる。
【００２４】  図６、図７は、本発明のパスタ用フォークの第４の実施形態である。この実施形態では、櫛歯３ｅ、３ｆ、３ｇを同一平面上に並べた構成としたものである。すなわち、柄２のらせん部２ｂの下端部に、上端部の板状部分２ａと同一厚みの櫛歯３ｅ、３ｆ、３ｇが湾曲することなく、柄２と同一平面上に形成され、中心櫛歯３ｅを両側櫛歯３ｆ、３ｇより長く形成した構成である。
【００２５】  以上のように、櫛歯３ｅ、３ｆ、３ｇを柄２と同一平面上に形成することにより、中心櫛歯３ａを皿に当てて回転を与えた際、中心櫛歯３ｅを支点として両側櫛歯３ｆ、３ｇがぶれることなく均等に回転し、周りのパスタを引き寄せながら両側櫛歯３ｆ、３ｇの周りに巻きつけていくことができる。従来のように櫛歯が湾曲していると、回転の際櫛歯にぶれが生じて巻きつけたパスタが落下し、少量のパスタしか巻きつけられなかったが、このような不都合を解消することができる。また、櫛歯３ｅ、３ｆ、３ｇが平坦であるため、大きく口を開かなくても、パスタを口に入れやすいという効果もある。なお、必要に応じて、図４に示すような波状の凹凸部７を各櫛歯３ｅ、３ｆ、３ｇの側縁部に形成することにより、麺を絡みつきやすくすることも可能である。
【００２６】
【符号の説明】
【００２７】１  パスタ用フォーク
２  柄
２ｂ  らせん部
３  櫛歯部
３ａ  中心櫛葉
３ｂ、３ｃ  外周櫛歯
３ｅ  中心櫛歯
３ｆ、３ｇ  両側櫛歯
４  凸条
５  溝
７  凹凸部
１３  フィガー部
１５  丸み
【図１】
2015016277.tif 000003
【図２】
2015016277.tif 000004
【図３】
2015016277.tif 000005
【図４】
2015016277.tif 000006
【図５】
2015016277.tif 000007
【図６】
2015016277.tif 000008
【図７】
2015016277.tif 000009
【手続補正書】
【提出日】平成25年11月8日(2013.11.8)
【手続補正１】
【補正対象書類名】明細書
【補正対象項目名】全文
【補正方法】変更
【補正の内容】
【発明の詳細な説明】
【技術分野】
【０００１】  本発明は、パスタ用フォークに関し、特に、パスタ等の麺類の食事に好適に使用されるパスタ用フォークに関するものである。
【背景技術】
【０００２】  スパゲッティなどの麺類を食べる際は、フォークのヘッド部分の櫛歯を麺に突き刺した後、柄を軸にしてヘッド部分を回転させて麺を櫛歯に絡ませ、口に持っていくようにしている。このフォークの回転操作をしやすくするため、柄にらせんを設けたフォークがある（例えば、特許文献１参照）。
【先行技術文献】
【０００３】
【特許文献１】実開平５−８４２６８号公報
【発明の概要】
【発明が解決しようとする課題】
【０００４】  特許文献１のフォークでは、スパゲティなどの麺を食するときは、フォークの柄を握って麺に櫛歯を突き刺した後、手首をひねって回転操作して麺を櫛歯に絡ませるものである。その際、柄部にらせんがあると多少は回転させやすいが、フォークの櫛歯部は従来の一般的なフォークと同様、平面上に並設された構造であるため、食器上で回転させて麺を絡ませる際、櫛歯部の先端の全体が食器上に当たってしまい、フォークがスムーズに回転しにくいという問題があった。【０００５】  本発明は、指を柄に沿って滑らせるという簡単な操作でヘッド部分を回転させて麺を絡ませることが可能なパスタ用フォークを提供することを目的とする。
【課題を解決するための手段】
【０００６】  請求項１記載の発明は、後端部付近から櫛歯部にかけて外周にらせん部が形成された柄を備え、前記櫛歯部は、前記柄の先端部に突出し、該柄と同一の中心軸を持つ中心櫛歯と、該中心櫛歯を中心とする円周上において下方に突出する複数の外周櫛歯とからなる立体構造であり、かつ前記中心櫛歯を前記外周櫛歯より長くしたパスタ用フォークである。【０００７】  請求項２記載の発明は、後端部付近から櫛歯部にかけて外周にらせん部が形成された柄を備え、前記櫛歯部は、前記柄の先端部に突出し、該柄と同一の中心軸を持つ中心櫛歯と、該中心櫛歯の両側に形成された両側櫛歯とからなり、前記柄と前記中心櫛歯と前記両側櫛歯は全て同一平面上に形成されており、かつ前記中心櫛歯を前記両側櫛歯より長くしたパスタ用フォークである。【０００８】  請求項３記載の発明は、後端部付近から櫛歯部にかけて外周にらせん部が形成された柄を備え、前記櫛歯部は、前記柄の先端部に突出し、該柄と同一の中心軸を持つ中心櫛歯と、該中心櫛歯の両側に形成された両側櫛歯とからなり、前記中心櫛歯は前記柄と同一平面上に形成されており、かつ前記両側櫛歯は、前記中心櫛歯の表面側又は裏面側の方向に湾曲させたパスタ用フォークである。
請求項４記載の発明は、前記柄は、上部から下部に向かって徐々に径が小さくなるように形成されているパスタ用フォークである。
請求項５記載の発明は、前記中心櫛歯、両側櫛歯及び外周櫛歯の側縁に凹凸部を形成したパスタ用フォークである。
【発明の効果】
【００１１】  本発明（請求項１）は、柄にらせん部を設け、櫛歯を立体構造とすることにより、麺が絡みやすく、指をらせん部に沿ってすべらせるという簡単な操作で櫛歯部分を回転させて麺を絡ませることができる。【００１２】  本発明（請求項２）は、柄にらせん部を設け、櫛歯を同一平面上に形成することにより、櫛歯がぶれることなく回転し、このため麺が絡みやすく、指をらせん部に沿ってすべらせるという簡単な操作で櫛歯部分を回転させて麺を絡ませることができる。
【図面の簡単な説明】
【００１３】
【図１】本発明のパスタ用フォークの正面図である。
【図２】本発明の側面図である。
【図３】図１のＡ−Ａ線断面図である。
【図４】第２の実施形態を示す正面図である。
【図５】第３の実施形態を示す正面図である。
【図６】第４の実施形態を示す正面図である。
【図７】図６の右側面図である。
【図８】第５の実施形態を示す正面図である。
【図９】図６の右側面図である。
【発明を実施するための形態】
【００１４】  図１は本発明の第１実施形態のパスタ用フォークの正面図、図２は図１の右側面図、図３は図１のＡ−Ａ線断面図である。
【００１５】  パスタ用フォーク１は、柄２と、この柄２の先端のヘッド部分に形成された立体状の櫛歯部３とからなる。柄２は、後端部は細い板状部分２ａであり、その下部には板状部分２ａをねじることによりらせん部２ｂが形成されている。らせん部２ｂは、らせん状の凸条４及びこの凸条４に沿うらせん状の溝５からなる。この凸条４の両側縁には丸みをつけることにより、指のすべりをよくしている。らせん部２ｂは細長い板状の部材をねじることにより形成し、軸線Ｌに対する角度はできるだけ小さくすることが好ましい。
【００１６】  櫛歯部３は、柄２の下端部に形成された円盤部１２から下方に突出して立体的に構成されたものである。すなわち、柄の下端に形成された中心櫛歯３ａと、この中心櫛歯３ａの外周であって、中心櫛歯３ａを中心とする円周上で下方に突出する複数の外周櫛歯３ｂ、３ｃ、３ｄを備えた立体構造のものである。中心櫛歯３ａ及び柄２は共通の中心軸線Ｌを持つように構成している。中心櫛歯３ａは、外周櫛歯３ｂ、３ｃ、３ｄよりも少し長くなっており、食器皿１４に垂直に立てた際、中心櫛歯３ａだけが食器皿の表面に当接するようになっている。外周櫛歯３ｂ、３ｃ、３ｄの下端部は内側、すなわち、中心櫛歯３ａの方向に曲げてあり、全体として先端がすぼまった形状となっている。
【００１７】  図１に示すように、このパスタ用フォーク１を使用するには、櫛歯３ａ〜３ｄをパスタなどの麺に突き刺し、中心櫛歯３ａの先端を皿１４の上面に当接させた状態で、利き腕の親指８をらせん部２ｂの片側の面に、人差し指９、中指１０、薬指１１を反対側の面に当て、この状態でらせん部２ｂに沿って下方に滑らせていく。これにより、らせん部２ｂの作用で柄２に回転力が付与され、中心櫛歯３ａを支点として櫛歯３ｂ、３ｃ、３ｄが回転する。中心櫛歯３ａは柄２の軸線Ｌと同一線上に形成しているので、中心櫛歯３ａの先端を支点としてフォーク１の櫛歯３ｂ、３ｃ、３ｄは円滑に回転する。これにより、麺は櫛歯３ａ〜３ｄに絡みついた状態となり、そのまま持ち上げて口に運ぶことができる。
【００１８】  なお、突き刺す麺の量が多すぎて櫛歯３ａ、３ｂ、３ｃが回転しにくい場合は、麺の一部を皿の周辺寄りに移動させて適量に広げた状態で突き刺すようにすれば、円滑に回転させて麺を絡ませることができる。
【００１９】  櫛歯３ａ〜３ｄの本数は、図示の実施形態では外周櫛歯３ｂ、３ｃ、３ｄが３本であるが、３本以上でもよい。いずれにしても、中心櫛歯３ａは他の外周櫛歯３ｂ、３ｃ、３ｄより先端方向に突出する長さに形成し、かつ中心櫛歯３ａと柄２の中心軸線Ｌを共通に形成することで、中心櫛歯３ａの先端を支点として円滑に回転させることができる。
【００２０】  図４は本発明の第２の実施形態であって、各櫛歯３ａ〜３ｄの側縁部に波状の凹凸部７を形成することにより、麺を絡みつきやすくすることができる。また、各櫛歯３ａ〜３ｄの先端を尖らせず、丸みをつけることにより、安全性をはかることができる。
【００２１】  さらにまた、部柄２の後端部に鶴などの鳥類あるいはペットなどのフィガー部１３を設けることも可能である。これにより、柄２の回転に伴ってフィガー部１３も回転し、興趣を増すことができる。
【００２２】  図５は、本発明のパスタ用フォークの第３の実施形態である。この実施形態では柄２を上部から下部に向かって徐々に径が小さくなるように形成されている。これにより、図１に示すように、指を滑らせる際に指の滑りがよくなり、回転させやすくなる。
【００２３】  以上のように、本発明によれば、フォークをほぼ垂直に皿上に立てて、柄２のらせん部２ｂに沿って上から下に指を滑らせるだけでフォークに回転を与えることができ、手首をひねって回転させる必要がないので、力の弱い子供や高齢者でも簡単に麺をフォークに絡ませることができるとともに、フォークの操作に面白みがあり、食事を楽しくすることができる。特に、櫛歯部３を中心櫛歯３ａの外周に外周櫛歯３ｂ、３ｃ、３ｄを円周上に立体的に形成することにより、中心櫛歯３ａを支点として櫛歯全体がスムーズに回転しやすく、麺の絡みつきが良好になる。
【００２４】  図６、図７は、本発明のパスタ用フォークの第４の実施形態である。この実施形態では、櫛歯３ｅ、３ｆ、３ｄを同一平面上に並べた構成としたものである。すなわち、柄２のらせん部２ｂの下端部に、上端部の板状部分２ａと同一厚みの櫛歯３ｅ、３ｆ、３ｄが湾曲することなく、柄２と同一平面上に形成され、中心櫛歯３ｅを両側櫛歯３ｆ、３ｄより長く形成した構成である。
【００２５】  以上のように、櫛歯３ｅ、３ｆ、３ｄを柄２と同一平面上に形成することにより、中心櫛歯３ａを皿に当てて回転を与えた際、中心櫛歯３ｅを支点として両側櫛歯３ｆ、３ｄがぶれることなく均等に回転し、周りのパスタを引き寄せながら両側櫛歯３ｆ、３ｄの周りに巻きつけていくことができる。従来のように櫛歯が湾曲していると、回転の際櫛歯にぶれが生じて巻きつけたパスタが落下し、少量のパスタしか巻きつけられなかったが、このような不都合を解消することができる。また、櫛歯３ｅ、３ｆ、３ｄが平坦であるため、大きく口を開かなくても、パスタを口に入れやすいという効果もある。なお、必要に応じて、図４に示すような波状の凹凸部７を各櫛歯３ｅ、３ｆ、３ｄの側縁部に形成することにより、麺を絡みつきやすくすることも可能である。
【００２６】  図８、図９は、本発明のパスタ用フォークの第５の実施形態である。この第５の実施形態では、櫛歯３ｅ、３ｆ、３ｄのうち両側の櫛歯３ｆ、３ｄを湾曲させた形状としている。すなわち、図９に示すように、図８における右側の櫛歯３ｆの中間部分２０を中央の櫛歯３ｅより後方（図８の紙面の裏側方向）に湾曲させ、先端部分３０を前方（図８の紙面の表側方向）に湾曲させている。そして、図８における左側の櫛歯３ｄを右側の櫛歯３ｆと反対の方向に湾曲させたものである。
【００２７】  この構成により、櫛歯部３を皿に当てて柄２を斜め横向きに寝かせてパスタをすくい上げる際、櫛歯３ｆあるいは櫛歯３ｄのいずれかが皿に当たり、いずれの場合も湾曲した先端部分３０の裏面が皿に当たる状態となる。そのため、櫛歯部３が全体として手前に傾いた状態になり、先端部分３０の湾曲した表面側や中心櫛歯３ｅでパスタをすくい上げしやすくなる。櫛歯３ｆ、３ｄの湾曲の方向を反対向きとすることにより、櫛歯部３の表裏のどちらが皿に当たっていても櫛歯部３は必ず手前方向に傾いた状態となるため、パスタのすくい上げが容易になる。なお、櫛歯３ｆ、３ｄを同じ方向に湾曲した形状にした場合でも、湾曲した先端部３０の裏面側を皿に当てるように向きを操作すれば同様にパスタをすくい上げしやすくなる効果は得られる。
【符号の説明】
【００２８】１  パスタ用フォーク
２  柄
２ｂ  らせん部
３  櫛歯部
３ａ  中心櫛葉
３ｂ、３ｃ  外周櫛歯
３ｅ  中心櫛歯
３ｄ、３ｆ、３ｇ  両側櫛歯
４  凸条
５  溝
７  凹凸部
１３  フィガー部
【手続補正２】
【補正対象書類名】特許請求の範囲
【補正対象項目名】全文
【補正方法】変更
【補正の内容】
【特許請求の範囲】
【請求項１】
後端部付近から櫛歯部にかけて外周にらせん部が形成された柄を備え、前記櫛歯部は、前記柄の先端部に突出し、該柄と同一の中心軸を持つ中心櫛歯と、該中心櫛歯を中心とする円周上において下方に突出する複数の外周櫛歯とからなる立体構造であり、かつ前記中心櫛歯を前記外周櫛歯より長くしたことを特徴とするパスタ用フォーク。
【請求項２】
後端部付近から櫛歯部にかけて外周にらせん部が形成された柄を備え、前記櫛歯部は、前記柄の先端部に突出し、該柄と同一の中心軸を持つ中心櫛歯と、該中心櫛歯の両側に形成された両側櫛歯とからなり、前記柄と前記中心櫛歯と前記両側櫛歯は全て同一平面上に形成されており、かつ前記中心櫛歯を前記両側櫛歯より長くしたことを特徴とするパスタ用フォーク。
【請求項３】
後端部付近から櫛歯部にかけて外周にらせん部が形成された柄を備え、前記櫛歯部は、前記柄の先端部に突出し、該柄と同一の中心軸を持つ中心櫛歯と、該中心櫛歯の両側に形成された両側櫛歯とからなり、前記柄と前記中心櫛歯は同一平面上に形成されており、かつ前記両側櫛歯は、前記中心櫛歯の表面側又は裏面側の方向に湾曲させたことを特徴とするパスタ用フォーク。
【請求項４】
前記柄は、上部から下部に向かって徐々に径が小さくなるように形成されていることを特徴とする請求項１ないし３のいずれかに記載のパスタ用フォーク。
【請求項５】
前記中心櫛歯、両側櫛歯及び外周櫛歯の側縁に凹凸部を形成した請求項１ないし３のいずれかに記載のパスタ用フォーク。
【手続補正３】
【補正対象書類名】図面
【補正対象項目名】図８
【補正方法】追加
【補正の内容】
【図８】
2015016277.tif 000010
【手続補正４】
【補正対象書類名】図面
【補正対象項目名】図９
【補正方法】追加
【補正の内容】
【図９】
2015016277.tif 000011
【手続補正書】
【提出日】平成26年9月25日(2014.9.25)
【手続補正１】
【補正対象書類名】明細書
【補正対象項目名】全文
【補正方法】変更
【補正の内容】
【発明の詳細な説明】
【技術分野】
【０００１】  本発明は、パスタ用フォークに関し、特に、パスタ等の麺類の食事に好適に使用されるパスタ用フォークに関するものである。
【背景技術】
【０００２】  スパゲッティなどの麺類を食べる際は、フォークのヘッド部分の櫛歯を麺に突き刺した後、柄を軸にしてヘッド部分を回転させて麺を櫛歯に絡ませ、口に持っていくようにしている。このフォークの回転操作をしやすくするため、柄にらせんを設けたフォークがある（例えば、特許文献１参照）。
【先行技術文献】
【０００３】
【特許文献１】実開平５−８４２６８号公報
【発明の概要】
【発明が解決しようとする課題】
【０００４】  特許文献１のフォークでは、スパゲティなどの麺を食するときは、フォークの柄を握って麺に櫛歯を突き刺した後、手首をひねって回転操作して麺を櫛歯に絡ませるものである。その際、柄部にらせんがあると多少は回転させやすいが、フォークの櫛歯部は従来の一般的なフォークと同様、平面上に並設された構造であるため、食器上で回転させて麺を絡ませる際、櫛歯部の先端の全体が食器上に当たってしまい、フォークがスムーズに回転しにくいという問題があった。【０００５】  本発明は、指を柄に沿って滑らせるという簡単な操作でヘッド部分を回転させて麺を絡ませることが可能なパスタ用フォークを提供することを目的とする。
【課題を解決するための手段】
【０００６】  請求項１記載の発明は、後端部付近から櫛歯部にかけて外周にらせん部が形成された柄を備え、前記櫛歯部は、前記柄の先端部に突出し、該柄と同一の中心軸を持つ中心櫛歯と、該中心櫛歯を中心とする円周上において下方に突出する複数の外周櫛歯とからなる立体構造であり、かつ前記中心櫛歯を前記外周櫛歯より長くしたパスタ用フォークである。【０００７】  請求項２記載の発明は、前記柄は、上部から下部に向かって徐々に径が小さくなるように形成されている。【０００８】  請求項３記載の発明は、前記中心櫛歯及び外周櫛歯の側縁に凹凸部を形成したものである。
【発明の効果】
【０００９】  本発明は、柄にらせん部を設け、櫛歯を立体構造とすることにより、麺が絡みやすく、指をらせん部に沿ってすべらせるという簡単な操作で櫛歯部分を回転させて麺を絡ませることができる。【００１０】
【図面の簡単な説明】
【００１１】
【図１】本発明のパスタ用フォークの正面図である。
【図２】本発明の側面図である。
【図３】図１のＡ−Ａ線断面図である。
【図４】第２の実施形態を示す正面図である。
【図５】第３の実施形態を示す正面図である。
【発明を実施するための形態】
【００１２】  図１は本発明の第１実施形態のパスタ用フォークの正面図、図２は図１の右側面図、図３は図１のＡ−Ａ線断面図である。
【００１３】  パスタ用フォーク１は、柄２と、この柄２の先端のヘッド部分に形成された立体状の櫛歯部３とからなる。柄２は、後端部は細い板状部分２ａであり、その下部には板状部分２ａをねじることによりらせん部２ｂが形成されている。らせん部２ｂは、らせん状の凸条４及びこの凸条４に沿うらせん状の溝５からなる。この凸条４の両側縁には丸みをつけることにより、指のすべりをよくしている。らせん部２ｂは細長い板状の部材をねじることにより形成し、軸線Ｌに対する角度はできるだけ小さくすることが好ましい。
【００１４】  櫛歯部３は、柄２の下端部に形成された円盤部１２から下方に突出して立体的に構成されたものである。すなわち、柄の下端に形成された中心櫛歯３ａと、この中心櫛歯３ａの外周であって、中心櫛歯３ａを中心とする円周上で下方に突出する複数の外周櫛歯３ｂ、３ｃ、３ｄを備えた立体構造のものである。中心櫛歯３ａ及び柄２は共通の中心軸線Ｌを持つように構成している。中心櫛歯３ａは、外周櫛歯３ｂ、３ｃ、３ｄよりも少し長くなっており、食器皿１４に垂直に立てた際、中心櫛歯３ａだけが食器皿の表面に当接するようになっている。外周櫛歯３ｂ、３ｃ、３ｄの下端部は内側、すなわち、中心櫛歯３ａの方向に曲げてあり、全体として先端がすぼまった形状となっている。
【００１５】  図１に示すように、このパスタ用フォーク１を使用するには、櫛歯３ａ〜３ｄをパスタなどの麺に突き刺し、中心櫛歯３ａの先端を皿１４の上面に当接させた状態で、利き腕の親指８をらせん部２ｂの片側の面に、人差し指９、中指１０、薬指１１を反対側の面に当て、この状態でらせん部２ｂに沿って下方に滑らせていく。これにより、らせん部２ｂの作用で柄２に回転力が付与され、中心櫛歯３ａを支点として櫛歯３ｂ、３ｃ、３ｄが回転する。中心櫛歯３ａは柄２の軸線Ｌと同一線上に形成しているので、中心櫛歯３ａの先端を支点としてフォーク１の櫛歯３ｂ、３ｃ、３ｄは円滑に回転する。これにより、麺は櫛歯３ａ〜３ｄに絡みついた状態となり、そのまま持ち上げて口に運ぶことができる。
【００１６】  なお、突き刺す麺の量が多すぎて櫛歯３ａ、３ｂ、３ｃが回転しにくい場合は、麺の一部を皿の周辺寄りに移動させて適量に広げた状態で突き刺すようにすれば、円滑に回転させて麺を絡ませることができる。
【００１７】  櫛歯３ａ〜３ｄの本数は、図示の実施形態では外周櫛歯３ｂ、３ｃ、３ｄが３本であるが、３本以上でもよい。いずれにしても、中心櫛歯３ａは他の外周櫛歯３ｂ、３ｃ、３ｄより先端方向に突出する長さに形成し、かつ中心櫛歯３ａと柄２の中心軸線Ｌを共通に形成することで、中心櫛歯３ａの先端を支点として円滑に回転させることができる。
【００１８】  図４は本発明の第２の実施形態であって、各櫛歯３ａ〜３ｄの側縁部に波状の凹凸部７を形成することにより、麺を絡みつきやすくすることができる。また、各櫛歯３ａ〜３ｄの先端を尖らせず、丸みをつけることにより、安全性をはかることができる。
【００１９】  さらにまた、部柄２の後端部に鶴などの鳥類あるいはペットなどのフィガー部１３を設けることも可能である。これにより、柄２の回転に伴ってフィガー部１３も回転し、興趣を増すことができる。
【００２０】  図５は、本発明のパスタ用フォークの第３の実施形態である。この実施形態では柄２を上部から下部に向かって徐々に径が小さくなるように形成されている。これにより、図１に示すように、指を滑らせる際に指の滑りがよくなり、回転させやすくなる。
【００２１】  以上のように、本発明によれば、フォークをほぼ垂直に皿上に立てて、柄２のらせん部２ｂに沿って上から下に指を滑らせるだけでフォークに回転を与えることができ、手首をひねって回転させる必要がないので、力の弱い子供や高齢者でも簡単に麺をフォークに絡ませることができるとともに、フォークの操作に面白みがあり、食事を楽しくすることができる。特に、櫛歯部３を中心櫛歯３ａの外周に外周櫛歯３ｂ、３ｃ、３ｄを円周上に立体的に形成することにより、中心櫛歯３ａを支点として櫛歯全体がスムーズに回転しやすく、麺の絡みつきが良好になる。
【符号の説明】
【００２２】１  パスタ用フォーク
２  柄
２ｂ  らせん部
３  櫛歯部
３ａ  中心櫛葉
３ｂ、３ｃ、３ｄ  外周櫛歯
４  凸条
５  溝
７  凹凸部
１３  フィガー部
【手続補正２】
【補正対象書類名】特許請求の範囲
【補正対象項目名】全文
【補正方法】変更
【補正の内容】
【特許請求の範囲】
【請求項１】
後端部付近から櫛歯部にかけて外周にらせん部が形成された柄を備え、前記櫛歯部は、前記柄の先端部に突出し、該柄と同一の中心軸を持つ中心櫛歯と、該中心櫛歯を中心とする円周上において下方に突出する複数の外周櫛歯とからなる立体構造であり、かつ前記中心櫛歯を前記外周櫛歯より長くしたことを特徴とするパスタ用フォーク。
【請求項２】
前記柄は、上部から下部に向かって徐々に径が小さくなるように形成されている請求項１記載のパスタ用フォーク。
【請求項３】
前記中心櫛歯及び外周櫛歯の側縁に凹凸部を形成した請求項１または２記載のパスタ用フォーク。
【手続補正３】
【補正対象書類名】図面
【補正対象項目名】図６
【補正方法】削除
【補正の内容】
【手続補正４】
【補正対象書類名】図面
【補正対象項目名】図７
【補正方法】削除
【補正の内容】
【手続補正５】
【補正対象書類名】図面
【補正対象項目名】図８
【補正方法】削除
【補正の内容】
【手続補正６】
【補正対象書類名】図面
【補正対象項目名】図９
【補正方法】削除
【補正の内容】